(57)【要約】【課題】キッチンの近くにいる使用者が見易い形態で画像を表示できるレンジフードを提供する。【解決手段】下方側に吸込口が形成されたレンジフード本体Ｆが、キッチンに設置された加熱調理器ＧＣの上方箇所に設置されるレンジフードであって、レンジフード本体Ｆの下方側に位置するキッチンの壁面Ｈに画像Ｚを投写する投写部Ｐが、レンジフード本体Ｆの下端側の周縁部に設けられている【選択図】図１
2018017489.tif 000002
【特許請求の範囲】
【請求項１】
下方側に吸込口が形成されたレンジフード本体が、キッチンに設置された加熱調理器の上方箇所に設置されるレンジフードであって、
前記レンジフード本体の下方側に位置する前記キッチンの壁面に画像を投写する投写部が、前記レンジフード本体の下端側の周縁部に設けられているレンジフード。
【請求項２】
前記投写部が、前記レンジフード本体の下端側の周縁部のうちの、前記画像を投写する前記壁面から離間する側に位置する箇所から投写する形態に設けられている請求項１記載のレンジフード。
【請求項３】
前記レンジフード本体が、前記吸込口を形成する下方側のフード部の上部に、当該フード部に対して吸引作用する排気ファン部を備える形態に構成され、
前記フード部が、下向き開口の有底筒状のフードケースの内部に、下向き開口の有底筒状の内装パネルを備え、かつ、前記フードケースの側壁を形成するケース側壁部と前記内装パネルの側壁を形成するパネル側壁部とを間隔を隔てて位置させる形態に構成され、
前記内装パネルが、前記パネル側壁部の下端から外方に向けて延出するパネル下壁部を備えるように構成され、
前記投写部が、前記ケース側壁部と前記パネル側壁部との間に設けられ、
前記内装パネルに、前記投写部の投射光を通過する投写用開口部が形成されている請求項１又は２記載のレンジフード。
【請求項４】
前記投写用開口部に、前記投射光が透過可能なカバー体が設けられている請求項３記載のレンジフード。
【請求項５】
前記カバー体が、前記投写部から投写される画像を拡大する拡大レンズとして機能するように構成されている請求項４記載のレンジフード。
【請求項６】
前記投写用開口部が、前記パネル側壁部と前記パネル下壁部とに亘る状態に形成されている請求項４又は５のいずれか１項に記載のレンジフード。
【請求項７】
前記カバー体が、上壁、当該上壁の左右端部から下方に延びる左右の側壁、及び、前記上壁の奥側端縁と左右の前記側壁の奥側端縁とに接続され且つ前記投射光を透過可能な奥壁を備える形態に構成されている請求項６記載のレンジフード。
【請求項８】
前記カバー体に、前記上壁の前縁部、左右の前記側壁の前縁部及び前記奥壁の下縁部に亘る環状の鍔状部が、前記内装パネルの表面部に当て付けられる状態で設けられている請求項７記載のレンジフード。
【請求項９】
前記投写用開口部が、前記パネル側壁部と前記パネル下壁部とに亘る状態に形成され、
前記内装パネルの裏面部に、前記投射光の通過路を形成する逆Ｕ字状の通路形成部材が、前記投写用開口部の口縁部から延びる形態で設けられている請求項３記載のレンジフード。
【請求項１０】
前記投写部の設置状態を調節して、前記壁面に投写される前記画像の位置を調節する画像調節部が設けられている請求項３〜９のいずれか１項に記載のレンジフード。
【請求項１１】
前記画像調節部が、前記画像の位置として、上下方向の高さ並びに左右の傾きを調節できるように構成されている請求項１０記載のレンジフード。
【請求項１２】
前記画像調節部が、前記ケース側壁部と前記パネル側壁部との間に設けられ、
前記画像調節部に対する操作孔が、前記フード部に形成されている請求項１０又は１１に記載のレンジフード。
【発明の詳細な説明】
【技術分野】
【０００１】
本発明は、下方側に吸込口が形成されたレンジフード本体が、キッチンに設置された加熱調理器の上方箇所に設置されるレンジフードに関する。
【背景技術】
【０００２】
かかるレンジフードは、ガスコンロやＩＨ調理器等の加熱調理器にて加熱される鍋等から排出される調理排気を排出するために使用されることになり、一般には、キッチンに設置された加熱調理器の上方箇所としてのキッチンの天井の近くに、吊戸棚と並ぶ状態に設けられることになる。
【０００３】
このようなレンジフードの従来例として、レンジフード本体が、吸込口を形成する下方側のフード部の上部に、当該フード部に対して吸引作用する排気ファン部を備える形態に構成され、排気ファン部の前面を覆う幕板の前面に、有機ＥＬディスプレイ、液晶ディスプレイ、プラズマディスプレイ等の画像表示部を設けて、この画像表示部にて、静止画像や動画像を表示するようにしたものがある（例えば、特許文献１参照。）
【０００４】
尚、特許文献１においては、画像表示部にて表示する画像を画像記憶装置にて記憶するように構成され、そして、画像表示部にて表示する画像として、レシピ、映画、スポーツや風景画等が例示されている。
【先行技術文献】
【特許文献】
【０００５】
【特許文献１】特開２００６‐１２５６７１号公報
【発明の概要】
【発明が解決しようとする課題】
【０００６】
従来では、画像表示部が、使用者の目の高さよりもかなり高い位置に設置されるため、画像表示部に表示された画像を見難い不都合があった。
すなわち、画像表示部をキッチンから離れた箇所から眺めるようにすれば、画像表示部を見ることができるものの、加熱調理器を操作する等により、キッチンの近くにいる使用者にとっては、高い位置に設置されている画像表示部は見難いものであった。
【０００７】
本発明は、上記実状に鑑みて為されたものであって、その目的は、キッチンの近くにいる使用者が見易い形態で画像を表示できるレンジフードを提供する点にある。
【課題を解決するための手段】
【０００８】
本発明のレンジフードは、下方側に吸込口が形成されたレンジフード本体が、キッチンに設置された加熱調理器の上方箇所に設置されるものであって、その特徴構成は、
前記レンジフード本体の下方側に位置する前記キッチンの壁面に画像を投写する投写部が、前記レンジフード本体の下端側の周縁部に設けられている点にある。
【０００９】
上述の記載において、レンジフード本体の下方側に位置するキッチンの壁面とは、レンジフード本体の後方側に位置する壁面やレンジフード本体の横側に位置する壁面を意味するものであり、要はレンジフード本体よりも下方側に位置するキッチン壁面である。
また、画像とは、静止画や動画像を含むものである。
【００１０】
すなわち、レンジフード本体の下端側の周縁部に設けられた投写部が、レンジフード本体の下方側に位置するキッチンの壁面に対して画像を投写することになる。
つまり、キッチンには、レンジフード本体の下方側に位置する壁面が存在することを利用して、その壁面に、投写部にて画像を投写するのである。
【００１１】
レンジフード本体の下方側に位置するキッチンの壁面は、キッチンの近くにいる使用者にとって、見易い高さで且つ見易い位置に存在するものであるから、その壁面に投写された画像は、キッチンの近くにいる使用者にとって見易いものとなる。
【００１２】
尚、投写部にて投写する画像は、種々の画像が考えられるが、例えば、レシピを示す画像を投写すれば、投写された画像をみながら、調理を行うことができる。
【００１３】
要するに、本発明のレンジフードの特徴構成によれば、キッチンの近くにいる使用者が見易い形態で画像を表示できる。
【００１４】
本発明のレンジフードの更なる特徴構成は、前記投写部が、前記レンジフード本体の下端側の周縁部のうちの、前記画像を投写する前記壁面から離間する側に位置する箇所から投写する形態に設けられている点にある。
【００１５】
すなわち、投写部が、レンジフード本体の下端側の周縁部のうちの、画像を投写する壁面から離間する側に位置する箇所から投写するものであるから、投写部が画像を投写する壁面から離間した位置から画像を投写することにより、見易くて分かり易い大きな画像を壁面に表示させることができる。
【００１６】
要するに本発明のレンジフードの更なる特徴構成によれば、壁面に大きな画像を表示させることができる。
【００１７】
本発明のレンジフードの更なる特徴構成は、前記レンジフード本体が、前記吸込口を形成する下方側のフード部の上部に、当該フード部に対して吸引作用する排気ファン部を備える形態に構成され、
前記フード部が、下向き開口の有底筒状のフードケースの内部に、下向き開口の有底筒状の内装パネルを備え、かつ、前記フードケースの側壁を形成するケース側壁部と前記内装パネルの側壁を形成するパネル側壁部とを間隔を隔てて位置させる形態に構成され、
前記内装パネルが、前記パネル側壁部の下端から外方に向けて延出するパネル下壁部を備えるように構成され、
前記投写部が、前記ケース側壁部と前記パネル側壁部との間に設けられ、
前記内装パネルに、前記投写部の投射光を通過する投写用開口部が形成されている点にある。
【００１８】
すなわち、レンジフード本体が、吸込口を形成する下方側のフード部と、当該フード部に吸引作用する上方側の排気ファン部とを備えるものであるから、排気ファン部が吸込口を形成するフード部に吸引作用することにより、フード部から調理排気が吸い込まれ、吸い込まれた調理排気が外部に排気されることになる。
【００１９】
また、フード部が、外装側ケーシングとして機能するフードケースの内部に、調理排気の案内体として機能する内装パネルを備え、かつ、フードケースの側壁を形成するケース側壁部と内装パネルの側壁を形成するパネル側壁部とを間隔を隔てて位置させる形態に構成されるものであるから、調理排気を案内する内装パネルが熱くなるものの、外装側ケーシングとして機能するフードケースのケース側壁部が熱くなり難く、フードケースのケース側壁部を使用者が触ることがあっても、使用者に違和感を与えることを回避できる。
【００２０】
しかも、内装パネルが、パネル側壁部の下端から外方に向けて延出するパネル下壁部を備えるように構成されているから、調理排気を、パネル下壁部にても受止めるようにしながら、内装パネルによって適切に排気ファン部に向けて案内流動させることができる。
【００２１】
また、投写部を、ケース側壁部とパネル側壁部との間に設けて、内装パネルに、投写部の投射光を通過する投写用開口部を形成するものであるから、投写部が、投写用開口部を通して投射光を投射することにより、壁面に画像を投写することになる。
【００２２】
そして、フードケースのケース側壁部と内装パネルのパネル側壁部との間の空間を有効利用して、投写部を設けるものであるから、投写部を外部に露出しない美麗な状態でかつ調理排気にて汚損され難い状態で配置することができる。
【００２３】
要するに本発明のレンジフードの更なる特徴構成によれば、フード部と排気ファン部とからなるフードケースのフード部の構成を有効利用して、投写部を外部に露出しない美麗な状態でかつ調理排気にて汚損され難い状態で配置することができる。
【００２４】
本発明のレンジフードの更なる特徴構成は、前記投写用開口部に、前記投射光が透過可能なカバー体が設けられている点にある。
【００２５】
すなわち、内装パネルに形成した投写用開口部に、投写部からの投射光が透過可能なカバー体が設けられているから、油、ゴミ、水蒸気等の汚染物質を含んだ調理排気が、開口部を通して、フードケースと内装パネルとの間に侵入することを抑制できる。
【００２６】
したがって、調理排気がフードケースと内装パネルとの間の空間に侵入して、投写部を汚損することを、一層良好に回避することができる。
【００２７】
要するに、本発明のレンジフードの更なる特徴構成によれば、投写部の汚損を一層良好に回避することができる。
【００２８】
本発明のレンジフードの更なる特徴構成は、前記カバー体が、前記投写部から投写される画像を拡大する拡大レンズとして機能するように構成されている点にある。
【００２９】
すなわち、投写部から投写される画像を、拡大レンズとして機能するカバー体にて拡大させるようにしながら、壁面に投写することができ、壁面に投写された画像を一層見易くすることができる。
【００３０】
要するに、本発明のレンジフードの更なる特徴構成によれば、壁面に投写された画像を一層見易くすることができる。
【００３１】
本発明のレンジフードの更なる特徴構成によれば、前記投写用開口部が、前記パネル側壁部と前記パネル下壁部とに亘る状態に形成されている点にある。
【００３２】
すなわち、内装パネルのパネル側壁部とパネル下壁部とに亘る状態に形成され投写用開口部が、斜め下方に向いた状態となるため、投写部の投射光を斜め下方に向けて良好に投射することができる。
【００３３】
つまり、レンジフード本体の下方の壁面に画像を投写するには、投写部の投射光を斜め下方に向けて投射する必要があるが、内装パネルのパネル側壁部とパネル下壁部とに亘る状態に形成され投写用開口部が、斜め下方に向いた状態となるため、投写部の投射光を斜め下方に向けて良好に投射することができるのである。
【００３４】
要するに、本発明のレンジフードの更なる特徴構成によれば、投写部の投射光を斜め下方に向けて良好に投射することができる。
【００３５】
本発明のレンジフードの更なる特徴構成によれば、前記カバー体が、上壁、当該上壁の左右端部から下方に延びる左右の側壁、及び、前記上壁の奥側端縁と左右の前記側壁の奥側端縁とに接続され且つ前記投射光を透過可能な奥壁を備える形態に構成されている点にある。
【００３６】
すなわち、内装パネルのパネル側壁部とパネル下壁部とに亘る状態に形成され投写用開口部に、上壁、当該上壁の左右端部から下方に延びる左右の側壁、及び、上壁の奥側端縁と左右の側壁の奥側端縁とに接続され且つ投写部の投射光を透過可能な奥壁を備える形態に構成されたカバー体が装着されることになる。
【００３７】
そして、油、ゴミ、水蒸気等の汚染物質を含んだ調理排気は、投写用開口部を通過しながら上方に向けて流動することになるから、カバー体の上壁に接触（衝突）する形態で流動することになるため、調理排気中の汚染物質が上壁に付着堆積する傾向になり、奥壁には付着堆積し難いものとなる。
【００３８】
したがって、カバー体の奥壁が汚染物質の付着堆積により汚損されるのを回避して、投写部の投射光を、奥壁を適切に透過させるようにしながら、壁面に画像を良好に投写させることができる。
つまり、投写用開口部を覆うカバー体を設けるようにしながらも、投写部の投射光を、カバー体を通して良好に通過させて、壁面に画像を良好に投写させることができる。
【００３９】
要するに、本発明のレンジフードの更なる特徴構成によれば、投写部の投射光を、カバー体を通して良好に通過させて、壁面に画像を良好に投写させることができる。
【００４０】
本発明のレンジフードの更なる特徴構成は、前記カバー体に、前記上壁の前縁部、左右の前記側壁の前縁部及び前記奥壁の下縁部に亘る環状の鍔状部が、前記内装パネルの表面部に当て付けられる状態で設けられている点にある。
【００４１】
すなわち、カバー体を投写用開口部に向けて押し込んで装着するときに、鍔状部が内装パネルの表面部に接触する状態となり、カバー体の装着が行い易く、しかも、調理排気がフードケースと内装パネルとの間に侵入することを適切に抑制できる。
【００４２】
つまり、カバー体を開口部に装着する形態として、鍔状部が内装パネルの表面部に接触する状態となるまで、カバー体を開口部に向けて押し込んで装着する形態を採用することができるため、カバー体の装着が行い易い。
【００４３】
しかも、カバー体を開口部に装着した状態においては、鍔状部が内装パネルの表面部に接触する状態となることにより、調理排気がフードケースと内装パネルとの間に侵入することを適切に抑制できる。
【００４４】
要するに、本発明の内装パネルの更なる特徴構成によれば、カバー体の装着の容易化を図り、しかも、調理排気の侵入を適切に回避できる。
【００４５】
本発明のレンジフードの更なる特徴構成は、前記投写用開口部が、前記パネル側壁部と前記パネル下壁部とに亘る状態に形成され、
前記内装パネルの裏面部に、前記投射光の通過路を形成する逆Ｕ字状の通路形成部材が、前記投写用開口部の口縁部から延びる形態で設けられている点にある。
【００４６】
すなわち、内装パネルのパネル側壁部とパネル下壁部とに亘る状態に形成される投写用開口部が、斜め下方に向いた状態となるため、投写部の投射光を斜め下方に向けて良好に投射することができる。
つまり、レンジフード本体の下方の壁面に画像を投写するには、投写部の投射光を斜め下方に向けて投射する必要があるが、内装パネルのパネル側壁部とパネル下壁部とに亘る状態に形成される投写用開口部が、斜め下方に向いた状態となるため、投写部の投射光を斜め下方に向けて良好に投射することができるのである。
【００４７】
また、内装パネルの裏面部に、投写部の投射光の通過路を形成する逆Ｕ字状の通路形成部材が、投写用開口部の口縁部から延びる形態で設けられているから、油、ゴミ、水蒸気等の汚染物質を含んだ汚染空気が通路形成部材の上壁部分に付着する傾向となるため、汚染物質が内装パネルの裏部に侵入し難い。
【００４８】
つまり、油、ゴミ、水蒸気等の汚染物質を含んだ調理排気は、投写用開口部を通過しながら上方に向けて流動することになるから、通路形成部材の上壁部分に接触（衝突）する形態で流動することになるため、調理排気中の汚染物質が上壁部分に付着堆積する傾向になり、汚染物質がフードケースと内装パネルとの間に侵入し難いものとなり、投写部が汚染物質の付着堆積により、汚損されることを回避し易い。
【００４９】
要するに、本発明のレンジフードの更なる特徴構成によれば、投写部の投射光を斜め下方に向けて良好に投射することができ、しかも、投写部の汚損を回避し易い。
【００５０】
本発明のレンジフードの更なる特徴構成は、前記投写部の設置状態を調節して、前記壁面に投写される前記画像の位置を調節する画像調節部が設けられている点にある。
【００５１】
すなわち、画像調節部によって投写部の設置状態を調節することにより、壁面に投写される画像の位置を調節することができるから、壁面に投写された画像の位置を適正な位置に調節することができる。
【００５２】
つまり、レンジフード本体をキッチンに設置したときに、レンジフード本体の設置位置の変化等により、壁面に投写された画像の位置が適正な位置からずれる虞があるが、画像調節部によって投写部の設置状態を調節することにより、壁面に投写された画像の位置を適正な位置に調節することができる。
【００５３】
要するに、本発明のレンジフードの更なる特徴構成によれば、壁面に投写された画像の位置を適正な位置に調節することができる。
【００５４】
本発明のレンジフードの更なる特徴構成は、前記画像調節部が、前記画像の位置として、上下方向の高さ並びに左右の傾きを調節できるように構成されている点にある。
【００５５】
すなわち、画像調節部によって投写部の設置状態を調節することにより、壁面に投写される画像の上下方向の高さや左右の傾きを調節することができるから、レンジフード本体をキッチンに設置したときに、レンジフード本体の高さや傾きが変化すること等があっても、壁面に投写された画像を、適正な上下高さで、かつ、適正な傾き（水平姿勢）に調節することができる。
【００５６】
つまり、レンジフード本体を隣接する吊戸棚と揃える状態に設置することにより、レンジフード本体の高さや設置状態が傾くように変化して、投写部の高さや傾きが変化しても、壁面に投写される画像高さや左右の傾きを、適正な状態に調節できる。
【００５７】
要するに、本発明のレンジフードの更なる特徴構成によれば、壁面に投写される画像の高さや左右の傾きを、適正な状態に調節できる。
【００５８】
本発明のレンジフードの更なる特徴構成は、前記画像調節部が、前記ケース側壁部と前記パネル側壁部との間に設けられ、
前記画像調節部に対する操作孔が、前記フード部に形成されている点にある。
【００５９】
すなわち、フードケース側壁部と内装パネルのパネル側壁部との間に設けられた画像調節部を、フード部に形成した操作孔から操作することにより、壁面に投写される画像の位置を調節することができる。
【００６０】
つまり、投写部をフードケースのケース側壁部と内装パネルのパネル側壁部との間に設置したまま、内装パネルを取り外す等の面倒なく、壁面に投写される画像の位置を良好に調節することができる。
【００６１】
要するに、本発明のレンジフードの更なる特徴構成によれば、壁面に投写される画像の位置を良好に調節できる。
【図面の簡単な説明】
【００６２】
【図１】レンジフードの正面図
【図２】レンジフードの側面図
【図３】レンジフードの斜視図
【図４】レンジフードの下方側部分の縦断側面図
【図５】内装パネルの一部の斜視図
【図６】フード部におけるカバー体の装着部の縦断側面図
【図７】画像調節部の正面図
【図８】画像調節部の斜視図
【図９】カバー体の斜視図
【図１０】カバー体の側面図
【図１１】カバー体の正面図
【図１２】第２実施形態のフード部の縦断側面図
【図１３】第２実施形態の内装パネルの一部の斜視図
【発明を実施するための形態】
【００６３】
〔第１実施形態〕
以下、本発明の実施形態を図面に基づいて説明する。
（レンジフードの全体構成）
図１及び図２に示すように、加熱調理器としてのガスコンロＧＣが、キッチンのキッチンカウンタ１に装着され、ガスコンロＧＣの上方箇所に、油、ゴミ、水蒸気等の汚染物資を含んだ調理排気を捕捉して外部に排出するレンジフード２が装着されている。
尚、レンジフード２の横側には吊戸棚等が配置されることになるが、吊戸棚等の記載は省略する。
【００６４】
レンジフード２は、下方側に吸込口３（図３参照）が形成されたレンジフード本体Ｆを備え、レンジフード本体Ｆの下方側に位置するキッチンの壁面Ｈに画像Ｚを投写する投写部Ｐが、レンジフード本体Ｆの下端側の周縁部に設けられている。
本実施形態においては、レンジフード本体Ｆの後方側に位置する壁面Ｈに画像Ｚを投写し、そして、投写部Ｐが、レンジフード本体Ｆの下端側の周縁部のうちの、画像Ｚを投写する壁面Ｈから離間する側に位置する箇所としての前縁側部分に設けられている。
【００６５】
このように、投写部Ｐが、画像Ｚを投写する壁面Ｈから離間した位置から画像Ｚを投写することにより、壁面Ｈに大きな画像Ｚを形成できるように構成されている。
【００６６】
投写部Ｐは、本実施形態においては、レーザープロジェクターにて構成され、そして、スクリーンミラーリング等の無線通信機能によって、スマートフォンやタブレット等の端末からの画像情報をワイヤレスにて投写するように構成されている。
【００６７】
（レンジフード本体の詳細）
図３に示すように、レンジフード本体Ｆが、吸込口３を形成する下方側の扁平状のフード部Ｆ１の上部に、当該フード部Ｆ１に対して吸引作用する直方体状の排気ファン部Ｆ２を備える形態に構成されている。
すなわち、排気ファン部Ｆ２が、フード部Ｆ１の上部の後方側に配置されている。そして、本実施形態においては、排気ファン部Ｆ２の前面部には、伸縮調整自在な幕板部Ｆ３が設けられている。
【００６８】
図４に示すように、フード部Ｆ１が、下向き開口の有底筒状のフードケース４の内部に、下向き開口の有底筒状の内装パネル５を備える二重壁構造に形成されている。つまり、フード部Ｆ１の外面部が、フードケース４にて形成され、フード部Ｆ１の内面部が、内装パネル５にて形成されている。
内装パネル５の側壁を形成するパネル側壁部５ｓが、下端側ほど外方側に位置する傾斜姿勢に形成されている。つまり、フード部Ｆ１の内面部が、下拡がり状となるように形成されている。
尚、内装パネル５は、フードケース４に対して着脱自在に支持されることになるが、本実施形態においては、内装パネル５の支持構成についての詳細は省略する。
【００６９】
フードケース４の側壁を形成するケース側壁部４ｓと内装パネル５の側壁を形成するパネル側壁部５ｓとが、間隔を隔てて位置させるように構成されている。
また、フードケース４の上壁を形成するケース上壁部４ａと内装パネル５の上壁を形成するパネル上壁部５ａとの間にも、ケース側壁部４ｓとパネル側壁部５ｓとの間隔よりも小さな間隔が設けられている。
【００７０】
ケース上壁部４ａ及びパネル上壁部５ａには、内装パネル５にて案内されて流動する調理排気を排気ファン部Ｆ２に向けて流動させる調理排気流動通路Ｂが形成されている。
本実施形態においては、パネル上壁部５ａに、調理排気を排気ファン部Ｆ２に向けて案内する調理排気案内用筒体６が設けられている。
【００７１】
図４及び図５に示すように、内装パネル５が、パネル側壁部５ｓの下端から外方側に向けて延出するパネル下壁部５ｄを備えて、フード部Ｆ１の下面を形成するように構成されている。
本実施形態においては、図４に示すように、フードケース４が、ケース側壁部４ｓの下端から内方側に向けて延出するケース下壁部４ｄを備えるように形成されている。そして、フード部Ｆ１の下面が、パネル下壁部５ｄを主要部としながらも、ケース下壁部４ｄをも用いて構成されているが、パネル下壁部５ｄを外方側に大きく延出させて、ケース下壁部４ｄを省略する形態で実施してもよい。
【００７２】
そして、本実施形態においては、図４に示すように、内装パネル５の内方側に、筒状となるパネル側壁部５ｓの開口面積よりも小さな平板状の整流板７が、パネル下壁部５ｄと同じ高さとなる状態で配置され、パネル側壁部５ｓと整流板７の外周縁との間に、上述の吸込口３が環状となる形態で形成されている。
【００７３】
整流板７は、後方側の左右両側部に設けた被係止金具８ａを内装パネル５に設けた係止金具８ｂに係止した状態で、前方側を上方側に揺動させることにより、前方側の左右両側部に設けた連結金具９ａを内装パネル５に設けたロック部９ｂに連結する形態で装着されている。
尚、ロック部９ｂは、連結金具９ａに形成したロック孔に係合するロックピンを係合側に弾性付勢する状態で備えて、整流板７を上方側に揺動させると自動的にロック状態に切換わるものであるが、本実施形態においては、ロック部９ｂの詳細な説明は省略する。
【００７４】
図４に示すように、排気ファン部Ｆ２は、ケーシング１０の内部に、上述の調理排気流動通路Ｂに対して吸引作用する排気ファン１１を備え、ケーシング１０の上部には、図２に示すように、排気ダクト１２が接続されている。
【００７５】
したがって、ガスコンロＧＣを燃焼させて加熱調理することにより発生する調理排気が、排気ファン部Ｆ２の吸引作用により、整流板７やパネル下壁部５ｄにて案内されながら吸込口３に流入し、吸込口３に流入した調理排気が内装パネル５にて案内されながら調理排気流動通路Ｂに流動し、その後、排気ファン１１により排気ダクト１２を通して外部に排出されることになる。
【００７６】
図３に示すように、フード部Ｆ１の前縁部の下面には、フード部Ｆ１の下方空間を照らす照明部１３が設けられ、また、図１及び図２に示すように、フード部Ｆ１の前縁部の前面には、操作部Ｓが設けられている。
この操作部Ｓには、照明部１３を点灯状態と消灯状態とに切換える照明スイッチ、排気ファン１１の風力を切換えかつ運転を指令する運転スイッチ、排気ファン１１の運転を停止する切りスイッチ、投写部Ｐを作動状態と停止状態とに切換える投写用スイッチ等の各種スイッチや、排気ファン１１の運転状態を示す表示ランプ、投写部Ｐの運転状態を示す表示ランプ等の各種のランプ類が配置されることになる。
【００７７】
ちなみに、図示は省略するが、レンジフードの運転を制御する運転制御部が設けられ、この運転制御部が、操作部Ｓの各種スイッチの指令情報に基づいて、照明部１３、排気ファン１１及び投写部Ｐの運転や、各種ランプ類の作動を制御することになる。
【００７８】
（投写部の装着構成）
図４に示すように、投写部Ｐが、フード部Ｆ１の前縁部において、ケース側壁部４ｓとパネル側壁部５ｓとの間に配置され、内装パネル５に、投写部Ｐの投射光を通過する投写用開口部Ｊが形成されている。
本実施形態においては、投写用開口部Ｊが、パネル側壁部５ｓとパネル下壁部５ｄとに亘る状態に形成されている。つまり、投写用開口部Ｊが斜め下方に向いた状態となり、投写部Ｐの投射光を斜め下方に向けて良好に投射することができるように構成されている。
【００７９】
図５及び図６に示すように、投写用開口部Ｊに、投写部Ｐの投射光が透過可能なカバー体Ｋが設けられて、油、ゴミ、水蒸気等の汚染物資を含んだ調理排気が投写用開口部Ｊを通して内装パネル５の裏面側に侵入することを抑制するように構成されている。
【００８０】
また、カバー体Ｋが、図５、図６及び図９〜１１に示すように、上壁Ｋｕ、当該上壁Ｋｕの左右端部から下方に延びる左右の側壁Ｋｓ、及び、上壁Ｋｕの奥側端縁と左右の側壁Ｋｓの奥側端縁とに接続され且つ投射光を透過可能な奥壁Ｋｄを備える形態に構成されている。
本実施形態においては、光が透過可能な樹脂材料を用いて、カバー体Ｋの全体が光を透過可能に構成されている。
【００８１】
このように構成されたカバー体Ｋの奥壁Ｋｄは、汚損し難いため、投写部Ｐの投射光を良好に透過させることができる。
つまり、ガスコンロＧＣの使用に伴って発生する調理排気は、投写用開口部Ｊを通過した後に、カバー体Ｋの上壁Ｋｕに接触する傾向となるため、カバー体Ｋの上壁Ｋｕには汚染物質が付着堆積する傾向となるが、奥壁Ｋｄには汚染物質が付着堆積し難いため、投射光を透過させる奥壁Ｋｄが汚損し難いものとなっている。
【００８２】
図５、図６、図９、図１０及び図１１に示すように、カバー体Ｋに、上壁Ｋｕにおける投写用開口部Ｊ側の前縁部、左右の側壁Ｋｓにおける投写用開口部Ｊ側の前縁部及び奥壁Ｋｄの下縁部に亘る環状の鍔状部Ｋｔが、内装パネル５の表面部に当て付けられる状態で設けられている。
つまり、カバー体Ｋを投写用開口部Ｊに向けて押し込んで装着することになり、そのときに、鍔状部Ｋｔが内装パネル５の表面部に接触する状態となるように構成されている。
【００８３】
また、カバー体Ｋの上壁Ｋｕには、投写用開口部Ｊの上端側口縁を係止する外れ止め用の楔状部Ｋｗが設けられ、また、カバー体Ｋの奥壁Ｋｄには、投写用開口部Ｊの下端端側口縁を係止する位置決め用の帯状部Ｋｚが設けられている。
【００８４】
（画像調節部について）
図７及び図８に示すように、投写部Ｐの設置状態を調節して、壁面Ｈに投写される画像Ｚの位置を調節する画像調節部Ｑが、フードケース４のケース側壁部４ｓとパネル側壁部５ｓとの間に設けられている。
画像調節部Ｑは、平面視形状がＴ字状のベース体１５と、ベース体１５に回転自在に支持されかつ外周部に螺進溝が形成された立姿勢の左右の回転調節体１６と、左右の両端部が左右の回転調節体１６に螺合する受け板１７とを備えている。
【００８５】
ベース体１５は、ケース下壁部４ｄ及びパネル下壁部５ｄに載置支持される形態で設けられている。
また、画像調節部Ｑに対する操作孔１８が、フード部Ｆ１に形成されている。つまり、操作孔１８は、左右の回転調節体１６の回転操作用の頭部をドライバ等で回転操作するための孔として、フードケース４のケース上壁部４ａに形成されている。
【００８６】
画像調節部Ｑに対する操作は、レンジフード２の設置時に行うことになり、その後は、画像調節部Ｑに対する操作を行うことがないから、画像調節部Ｑに対する操作を行った後は、図示は省略するが、操作孔１８には、異物侵入防止用の蓋を装着することになる。
【００８７】
従って、画像調節部Ｑは、ベース体１５の先端部の係止用凸部１５Ａにて投写部Ｐの前端縁部を係止し、かつ、受け板１７にて投写部Ｐの後端側を載置支持する形態で、投写部Ｐを支持するように構成されている。
そして、画像調節部Ｑは、左右の回転調節体１６の回転調節により、受け板１７の高さや左右の傾きを調節することにより、画像Ｚの位置として、上下方向の高さ並びに左右の傾きを調節できるように構成されている。
【００８８】
このように、画像調節部Ｑにて投写部Ｐの設置状態を調節することにより、壁面Ｈに投写された画像Ｚの位置を適正な位置に調節することができる。
例えば、レンジフード２が隣接する吊戸棚と揃える状態に設置されることにより、レンジフード本体Ｆの設置状態が傾くように変化しても、壁面Ｈに投写される画像Ｚの高さや左右の傾きを適正な状態に調節できることになる。
【００８９】
〔第２実施形態〕
次に、第２実施形態を説明するが、この第２実施形態は、第１実施形態におけるカバー体Ｋを装着しない構成であり、その他の構成は、第１実施形態と同様であるので、以下の説明においては、第１実施形態と異なる構成についてのみ説明する。
【００９０】
この第２実施形態においても、第１実施形態と同様に、投写用開口部Ｊが、パネル側壁部５ｓとパネル下壁部５ｄとに亘る状態に形成されている。
そして、この第２実施形態においては、図１２及び図１３に示すように、第１実施形態におけるカバー体Ｋに代えて、内装パネル５の裏面部に、投写部Ｐの投射光の通過路を形成する逆Ｕ字状の通路形成部材Ｒが、投写用開口部Ｊの口縁部から延びる形態で設けられている。
【００９１】
本実施形態においては、通路形成部材Ｒを内装パネル５と一体形成するように構成されているが、内装パネル５とは別体に形成した通路形成部材Ｒを内装パネル５に付設する形態で実施してもよい。
【００９２】
そして、通路形成部材Ｒを設けることにより、油、ゴミ、水蒸気等の汚染物資を含んだ調理排気が投写用開口部Ｊを通して内装パネル５の裏面側に侵入することを抑制するように構成されている。
【００９３】
つまり、ガスコンロＧＣの使用に伴って発生する調理排気は、投写用開口部Ｊを通過した後に、通路形成部材Ｒの上壁部分に接触する傾向となるため、通路形成部材Ｒの上壁部分には汚染物質が付着堆積する傾向となるが、調理排気の汚染物質が内装パネル５の裏面側に侵入することが抑制されるようになっている。
【００９４】
〔別実施形態〕
次に、別実施形態を列記する。
（１）上記第１及び第２実施形態では、レンジフード本体Ｆの後方側に位置する壁面Ｈに画像Ｚを投写するように構成したが、レンジフード本体Ｆの後方側に窓が形成される場合等においては、画像Ｚを投写する壁面Ｈとしては、レンジフード本体Ｆの横側に位置する壁面を用いるようにしてもよい。
【００９５】
画像Ｚを投写する壁面Ｈとして、レンジフード本体Ｆの横側に位置する壁面を用いる場合には、投写部Ｐを、レンジフード本体Ｆの下端側の周縁部のうちの、画像Ｚを投写する壁面Ｈから離間する側に位置する箇所としての横側縁部分に設けるようにするとよい。
【００９６】
（２）上記第１及び第２実施形態では、レンジフード本体Ｆが、扁平状のフード部Ｆ１と排気ファン部Ｆ２とを備える形態に構成される場合を例示したが、レンジフード本体Ｆの全体を、下方側ほど拡大する角筒状に形成し、その内部に、排気ファン１１を備えるようにする等、レンジフード本体Ｆの具体構成は各種変更できる。
【００９７】
（３）上記第１実施形態にて記載の如く、投写用開口部Ｊにカバー体Ｋを設ける場合において、カバー体Ｋを、例えば、内装パネル５の壁部に沿った形状に形成する等、カバー体Ｋの具体構成は各種変更できる。
【００９８】
（４）上記第１実施形態にて記載の如く、投写用開口部Ｊにカバー体Ｋを設ける場合において、カバー体Ｋを、投写部Ｐから投写される画像を拡大する拡大レンズとして機能するように構成してもよい。
例えば、第１実施形態のカバー体Ｋのおける奥壁Ｋｄを、拡大レンズとして機能するように形成してもよい。
【００９９】
（５）上記第１及び第２実施形態においては、整流板７を設けて、内装パネル５の内面と整流板７の外周縁との間を吸込口３に形成する場合を例示したが、整流板７を省略して、内装パネル５にて形成される下向きの開口の全体を、吸込口３とする形態で実施してもよい。
【０１００】
（６）上記第１及び第２実施形態では、キッチンに設置する加熱調理器として、ガスコンロＧＣを例示したが、加熱調理器としてはＩＨ式加熱調理器でもよい。
【０１０１】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１０２】
３      吸込口
４      フードケース
４ｓ    ケース側壁部
５      内装パネル
５ｓ    パネル側壁部
５ｄ    パネル下壁部
１８    操作孔
Ｆ      レンジフード本体
Ｆ１    フード部
Ｆ２    排気ファン部
ＧＣ    加熱調理器
Ｈ      壁面
Ｊ      投写用開口部
Ｋ      カバー体
Ｋｕ    上壁
Ｋｓ    側壁
Ｋｄ    奥壁
Ｋｔ    鍔状部
Ｐ      投写部
Ｑ      画像調節部
Ｒ      通路形成部材
Ｚ      画像
【図１】
2018017489.tif 000003
【図２】
2018017489.tif 000004
【図３】
2018017489.tif 000005
【図４】
2018017489.tif 000006
【図５】
2018017489.tif 000007
【図６】
2018017489.tif 000008
【図７】
2018017489.tif 000009
【図８】
2018017489.tif 000010
【図９】
2018017489.tif 000011
【図１０】
2018017489.tif 000012
【図１１】
2018017489.tif 000013
【図１２】
2018017489.tif 000014
【図１３】
2018017489.tif 000015